(57)【要約】      （修正有）【課題】カードを保持させる操作を簡単にすることができ、カードを吊り下げ状に保持しても脱落することを確実に防止でき、商品陳列棚に対して簡単に取り付けることが可能なカードホルダーを提供する。【解決手段】一対の挟持片６、７を有した挟持部３と、商品陳列棚のフレーム部が挿脱自在に挿入されるハンガー部４とを備える。カード１１の両側から圧接してカードを保持する弾性ゴムからなる保持凸部１０が一対の挟持片６、７の対向面に複数段形成される。ハンガー部４は下方に向いて開口した挿入口１７を有するハンガー本体１５と、挿入口１７の縁端に形成されフレーム部の挿入をガイドするガイドリップ片とが一体に形成される。【選択図】図１
0003211013.tif 000002
【実用新案登録請求の範囲】
【請求項１】
カードが部分的に差し込まれることにより差し込まれた部分を保持する一対の挟持片を有した挟持部と、前記挟持部の背面に一体に形成され、商品陳列棚のフレーム部が挿脱自在に挿入されるハンガー部とを備え、
前記カードの両側から圧接してカードを保持する弾性ゴムからなる保持凸部が前記一対の挟持片の対向面に複数段形成されており、
前記ハンガー部は下方に向いて開口した挿入口を有するハンガー本体と、前記挿入口の縁端に形成され前記ハンガー本体へのフレーム部の挿入をガイドするガイドリップ片とが一体に形成されていることを特徴とするカードホルダー。
【請求項２】
前記保持凸部は前記一対の挟持片の対向面に対し、高さ方向に沿って交互に位置するように形成されていることを特徴とする請求項１記載のカードホルダー。
【請求項３】
前記一対の挟持片は、差し込まれたカードを吊り下げ状に保持することを特徴とする請求項１又は２記載のカードホルダー。
【考案の詳細な説明】
【技術分野】
【０００１】
本考案は、商品の名称や価格等を表示するカードを吊り下げ状に保持するために用いられるカードホルダーに関する。
【背景技術】
【０００２】
スーパーマーケットやコンビニエンスストア等の商店では、商品陳列棚に陳列している商品の名称や価格を顧客に対して展示する必要があり、このため、これらの内容が印刷や手書き等によって記載されたカードを商品陳列棚に取り付けることがなされている。カードホルダーはかかるカードの展示のため、カードを保持するものである。
【０００３】
特許文献１には従来のカードホルダーが記載されている。このカードホルダーは、カードを挟み込む挟み込み部と、商品陳列棚に取り付けられる係止部とが透明樹脂によって一体的に形成された構造となっている。挟み込み部は表面板と背面板とによって形成され、これらの間にカードを挿入して挟み込むことによりカードの全体が挟み込み部に保持されて価格等の内容展示を行う。係止部は商品陳列棚の桟に引っ掛けられることにより商品陳列棚へのカードホルダーの固定を行う。
【先行技術文献】
【特許文献】
【０００４】
【特許文献１】実用新案登録第３０７２００２号公報
【考案の概要】
【考案が解決しようとする課題】
【０００５】
従来のカードホルダーでは、挟み込み部の表面板と背面板との間にカードの全体を差し込むことによりカードを保持する構造のため、挟み込み部へのカードの着脱操作が面倒となっている。これに対し、カードを部分的に差し込んで吊り下げることも考えられるが、この場合には、保持力が低減してカードが脱落し易くなる問題を有している。又、係止部を確実に商品陳列棚の桟に引っ掛けるための操作が難しい問題も有している。
【０００６】
本考案は、このような従来の問題点を考慮してなされたものであって、カードを保持させる操作を簡単にすることができ、しかもカードを吊り下げ状に保持しても脱落することを確実に防止でき、さらには商品陳列棚に対して簡単に取り付けることが可能なカードホルダーを提供することを目的とする。
【課題を解決するための手段】
【０００７】
本考案のカードホルダーは、カードが部分的に差し込まれることにより差し込まれた部分を保持する一対の挟持片を有した挟持部と、前記挟持部の背面に一体に形成され、商品陳列棚のフレーム部が挿脱自在に挿入されるハンガー部とを備え、前記カードの両側から圧接してカードを保持する弾性ゴムからなる保持凸部が前記一対の挟持片の対向面に複数段形成されており、前記ハンガー部は下方に向いて開口した挿入口を有するハンガー本体と、前記挿入口の縁端に形成され前記ハンガー本体へのフレーム部の挿入をガイドするガイドリップ片とが一体に形成されていることを特徴とする。
【０００８】
本考案では、前記保持凸部は前記一対の挟持片の対向面に対し、高さ方向に沿って交互に位置するように形成されていることを特徴とする。
又、本考案は、前記一対の挟持片は、差し込まれたカードを吊り下げ状に保持することを特徴とする。
【考案の効果】
【０００９】
本考案のカードホルダーによれば、一対の挟持片の間にカードを部分的に差し込むだけでカードを保持するため、カードの全体を差し込む必要がなく、カードを保持させる操作が容易となる。又、カードの両側から圧接してカードを保持する弾性ゴムからなる保持凸部が一対の挟持片の対向面に複数段形成されているため、カードの保持力が大きくなり、カードの脱落を確実に防止することができる。このため、カードの上部だけを部分的に保持した吊り下げ状とした展示が可能となる。又、ガイドリップ片がハンガー本体への商品陳列棚のフレーム部の挿入をガイドするため、フレーム部の挿入が簡単となり、商品陳列棚への取り付け操作が簡単となる。
【図面の簡単な説明】
【００１０】
【図１】本考案のカードホルダーの全体斜視図である。
【図２】カードホルダーの側面図である。
【図３】カードホルダーを商品陳列棚に取り付けた状態を示す側面図である。
【考案を実施するための形態】
【００１１】
図１〜図３は、本考案の位置実施形態を示し、図１はカードホルダー１の斜視図、図２は側面図、図３は商品陳列棚２への取り付け状態を示す側面図である。
【００１２】
カードホルダー１は挟持部３及びハンガー部４を有している。挟持部３及びハンガー部４の間には、中間板部５が設けられている。挟持部３、ハンガー部４及中間板部５は樹脂成形型への射出成形によって一体に形成される。中間板部５は挟持部３とハンガー部４とを連設すると共にカードホルダー１の全体の強度付与するものであり、必要がない場合には、省略することができる。
カードホルダー１の全体は透明樹脂又は着色された透光性樹脂によって形成される。樹脂としては、ポリエチレン、ポリプロピレン等のポリオレフィン、ポリアミド、アクリル樹脂その他の樹脂を選択することができる。
【００１３】
挟持部３は連設片８と一対の挟持片６、７とを有しており、連設片８の両側から一対の挟持片６、７が垂下することにより下方が開口されたπ形状に形成されている。開口部分は挟持片６、７の下端部分に位置しており、この開口部分がカード１１を差し込むための差し込み口９となる。一対の挟持片６、７のそれぞれは、上下方向の高さが１ｃｍ、前後方向の幅が２ｃｍ程度となるように形成されるが、寸法はカード１１の大きさに合わせて選択されるものであり、特に限定されない。
【００１４】
一対の挟持片６，７は、カード１１が部分的に差し込まれることによってカード１１の差し込み部分を保持する。カード１１における符号１１ａで示す部分が差し込み部分であり、この差し込み部分１１ａが一対の挟持片６、７の間に差し込まれて保持される。かかる一対の挟持片６、７には、保持凸部１０が形成される。
【００１５】
保持凸部１０は一対の挟持片６、７の対向面に対し複数段となって形成される。それぞれの挟持片６、７の保持凸部１０は、相手側の挟持片６、７の保持凸部１０に達する長さとなるように形成される。従って、保持凸部１０は挟持片６，７の間に差し込まれたカード１１に両側から圧接してカード１１を保持する。
一方の挟持片６の対向面における保持凸部１０と他方の挟持片７の対向面における保持凸部１０とは高さ方向に沿って交互に位置するように形成される。これによりカード１１を挟持片６、７の間に差し込む際の抵抗が小さくなり、カード１１の差し込みを小さな力で行うことができる。このため、カードホルダー１は０．１ｍｍの薄いカードから２ｍｍの厚いカードまで容易に差し込み、保持することができる。
【００１６】
保持凸部１０はシリコンゴム等の弾性ゴムによって形成されており、これにより挟持片６、７へのカード１１の差し込み及び引き抜きの際に簡単に撓むことができる。このため、これらの差し込みや引き抜きにおけるカード１１への操作力を小さくすることができ、カード１１の円滑な差し込み及び引き抜きが可能となる。又、撓んだ後には元の状態に復元する。保持凸部１０が弾性ゴムによって形成されることにより、保持凸部１０はカード１１に確実に圧接する。このため、カード１１の保持力が大きくなり、カード１１の脱落を防止することができる。保持凸部１０の根元部分の厚みは中央部分の厚みよりも薄くなっており、保持凸部１０のカード差し込み時の撓みが容易となるためゴム材料の硬度としてより高硬度のものを使用することができる。このため、カード差し込み時のゴムの撓みを根元部分に集中することができ、カード１１は保持凸部１０の先端と狭い面積で接触するため円滑に引き抜きをすることができる。
【００１７】
ハンガー部４は以上の挟持部３の背面に一体に形成される。ハンガー部４はハンガー本体１５と、ガイドリップ片１６とを一体に有している。
ハンガー本体１５は側面から見て円弧形状となっており、全体では円弧筒状に形成されている。ハンガー本体１５には、挿入口１７が下方に向いて開口されている。挿入口１７には、商品陳列棚２のフレーム部１８が挿入される（図３参照）。挿入口１７が開口された円弧形状に形成されることによりハンガー本体１５の全体がばね力を備えたものとなり、このばね力によって商品陳列棚２のフレーム部１８を挟み込んで保持する。
【００１８】
ガイドリップ片１６はハンガー本体１５の挿入口１７の縁端に一体に形成される。ガイドリップ片１６は挿入口１７を跨った状態で下方に延びるように形成される。挿入口１７を跨った一方のガイドリップ片１６（左側のガイドリップ片）は相手のガイドリップ片１６（右側のガイドリップ片）から徐々に離れる傾斜状に形成される。このようなガイドリップ片１６は商品陳列棚２のフレーム部１８をハンガー本体１５に挿入する際のガイドとなるものであり、これによりカードホルダー１の商品陳列棚２への取り付けが容易となる。
【００１９】
この実施形態のカードホルダー１は、図１に示すように、カード１１を差し込み口９から一対の挟持片６、７の間に差し込む。カード１１は差し込み部分１１ａが一対の挟持片６、７の間に挿入され、この挿入によって一対の挟持片６，７の保持凸部１０がカード１１に圧接してカード１１を保持する。
このような構造では、一対の挟持片６、７の間にカード１１の差し込み部分１１ａを差し込むだけでカード１１を保持できるため、カード１１の全体を差し込む必要がなく、カード１１を保持させる操作が容易となる。又、弾性ゴムからなる保持凸部１０がカード１１の両側から圧接してカード１１を保持するため、カード１１の保持力が大きくなり、カード１１の脱落を確実に防止することができる。このため、カード１１の上部だけを部分的に保持した吊り下げ状とした展示が可能となる。
【００２０】
図３はカードホルダー１を商品陳列棚２に取り付けた状態を示す側面図である。商品陳列棚２には、商品（リンゴ）２１が陳列されている。商品陳列棚２への取り付けに際しては、ハンガー本体１５内に商品陳列棚２のフレーム部１８を挿入することにより行う。この挿入に際しては、ガイドリップ片１６がハンガー本体１５内へのフレーム部１８の挿入をガイドするため、挿入が簡単となり、商品陳列棚２への取り付け操作が簡単となる。このため、カードホルダー１は１ｍｍから１０ｍｍまでの厚さのフレーム部１８への取り付けが容易な構造となっている。
【符号の説明】
【００２１】
１  カードホルダー
２  商品陳列棚
３  挟持部
４  ハンガー部
５  中間板部
６、７  挟持片
８  連設片
９  差し込み口
１０  保持凸部
１１  カード
１１ａ  差し込み部分
１５  ハンガー本体
１６  ガイドリップ片
１７  挿入口
１８  フレーム部
【図１】
0003211013.tif 000003
【図２】
0003211013.tif 000004
【図３】
0003211013.tif 000005